(57)【要約】【課題】  意図的に施錠されていない場合と施錠を忘れている場合とを明確に区別できるようにすると共に、施錠を忘れている場合には、住人や管理人に施錠を促すようにすることを目的とする。【解決手段】  夜間に施錠されているか否かが制御部４により判断され、解錠されている場合には、解錠の表示が行われるので、解錠の有無を容易に確認することができる。また、夜間に解錠されている時間が所定時間以上となった場合に、警報部６から警報が出力されるので、意図的に施錠されていないときと施錠を忘れているときとを明確に区別することができると共に、施錠を忘れているときには、居住者や管理人に施錠を促すことができる。【選択図】        図１
2008009886.tif 000002
【特許請求の範囲】
【請求項１】
部屋が施錠されたことを検出する施錠検出部と、
前記施錠検出部による検出結果により前記部屋が施錠されているか否かを表示する解錠表示部と、
現在時刻を示す現在時刻情報を出力する時計部と、
前記部屋が施錠されていないことを示す警報を出力する警報部と、
前記時計部から出力された現在時刻が夜間であるか否かを判定して夜間であると判断した場合、且つ、前記施錠検出部が施錠を検出していないと判断した場合に、前記施錠を検出していない時間が所定時間以上となったときに、前記警報部により警報を出力させる制御部と、
前記所定時間を計測するタイマ部と、
を備えた集合住宅監視システム。
【請求項２】
部屋が施錠されたことを検出する施錠検出部と、
前記施錠検出部による検出結果により前記部屋が施錠されているか否かを表示する解錠表示部と、
現在時刻を示す現在時刻情報を出力する時計部と、
前記部屋が施錠されていないことを示す警報を出力する警報部と、
前記部屋内の全ての照明の消灯を検出する消灯検出部と、
前記時計部から出力された現在時刻が夜間であるか否かを判定して夜間であると判断した場合、且つ、前記施錠検出部が施錠を検出していないと判断した場合に、前記消灯検出部が前記部屋内の全ての照明の消灯を検出したときに、前記警報部により警報を出力させる制御部と、
を備えた集合住宅監視システム。
【発明の詳細な説明】
【技術分野】
【０００１】
本発明は、多くの高齢者などが居住する集合住宅における集合住宅監視装置に関する。
【背景技術】
【０００２】
従来、核家族化などの進行により、高齢者のみが居住する住宅が増えている。また、このような高齢者が居住する部屋を集めて、管理人室などにより管理する集合住宅が知られている。
【０００３】
このような集合住宅において、部屋が施錠されているか否か、特に夜間に施錠されているか否かを確認できるように、施錠の有無を表示する表示装置を玄関などに設置する技術が知られている（例えば、特許文献１など）。また、このような表示装置を集合住宅の管理人室に設置することも知られている。
【特許文献１】特開２００２−２１６２５８号公報
【０００４】
しかしながら、この特許文献１に記載の技術では、施錠の有無を確認するために、住人は、表示装置の近傍まで行かなければならず、不便であった。また、表示装置を管理人室に設置した場合には、住人が意図的に施錠していない場合でも表示されてしまので、正確な判断を行なうことができないという問題があった。
【発明の開示】
【発明が解決しようとする課題】
【０００５】
本発明は、このような問題を解決するために成されたものであり、意図的に施錠されていない場合と施錠を忘れている場合とを明確に区別できるようにすると共に、施錠を忘れている場合には、住人や管理人に施錠を促すようにすることを目的とする。
【課題を解決するための手段】
【０００６】
上述した課題を解決するために、本発明では、夜間であるか否かを判定すると共に、施錠の有無を判定し、夜間であり且つ施錠されていないと判断した場合に、解錠されていることを表示して、タイマーによる時間の計測を開始する。そして、解錠された状態が所定時間以上継続したときに警報を発するようにしている。
【０００７】
また、本発明の他の態様によれば、夜間であるか否かを判定すると共に、施錠の有無を判定し、夜間であり且つ施錠されていないと判断した場合に、解錠されていることを表示して、部屋内の全ての照明が消灯しているか否かを調べる。そして、解錠された状態で部屋内の全ての照明が消灯している場合に警報を発するようにしている。
【発明の効果】
【０００８】
上記のように構成した本発明によれば、夜間に施錠されているか否かが表示されるので、解錠の有無を確認できると共に、夜間に解錠されている時間が所定時間以上となった場合に、警報が出力されるので、意図的に施錠されていないときと施錠を忘れているときとを明確に区別することができると共に、施錠を忘れているときには、住人や管理人に施錠を促すことができる。
【０００９】
また、本発明の他の態様によれば、夜間に施錠されているか否かが表示されるので、解錠の有無を確認できると共に、夜間に解錠されていて部屋内の全ての照明が消灯している場合に警報が出力されるので、意図的に施錠されていないときと施錠を忘れているときとを明確に区別することができると共に、施錠を忘れて住人が就寝してしまったようなときなどには、住人や管理人に施錠を促すことができる。
【発明を実施するための最良の形態】
【００１０】
以下、本発明の一実施形態を図面に基づいて説明する。図１は、本実施形態による集合住宅監視システムの構成例を示すブロック図である。図１に示すように、本実施形態による集合住宅監視システムは、施錠検出部１、時計部２、タイマ３、制御部４、解錠表示部５、警報部６を備えて構成されている。また、制御部４は、異常判定部４ａ及び警報信号出力部４ｂを備えて構成されている。ここで、本実施形態による集合住宅監視システムは、複数の部屋の監視を行う。
【００１１】
施錠検出部１は、玄関ドアの施錠を検出するものである。また、施錠検出部１は、玄関ドアの施錠が検出された場合に施錠信号を出力する。なお、本実施形態では、施錠検出部１は、玄関ドアの施錠を検出しているが、これに限定されない。例えば、解錠検出部を設け、玄関ドアが解錠されていることを検出するようにしても良い。
【００１２】
時計部２は、現在時間を示す現在時刻情報を出力するものである。また、タイマ３は、後述する制御部４からの計測開始信号により時間の計測を開始し、その時間情報を制御部４に出力する。
【００１３】
制御部４は、時計部２から現在時刻情報を入力し、現在時刻が夜間であるか否かを判定する。具体的には、現在時刻が例えば午後１０時〜午前５時の範囲にある場合には、制御部４は、現在が夜間であると判断する。また、制御部４は、施錠検出部１から施錠信号を入力し、玄関ドアの施錠の有無を判断する。ここで、制御部４は、施錠信号を入力した場合には、玄関ドアが施錠されていると判断し、施錠信号を入力しない場合には、玄関ドアが施錠されていないと判断する。そして、現在が夜間であり、玄関ドアが施錠されていないと制御部４にて判断した場合には、制御部４は、計測開始信号をタイマ３に出力すると共に、玄関ドアが解錠されていることを示す解錠表示信号を後述する解錠表示部５に出力する。
【００１４】
また、現在が夜間であり、玄関ドアが施錠されていないと制御部４にて判断した場合に、制御部４は、タイマ３により計測された時間情報を入力する。ここで、タイマ３により計測された時間情報が所定時間（例えば、３０分など）以上であると制御部４にて判断した場合には、制御部４の異常判定部４ａは、居住者が玄関ドアの施錠を忘れていると判断して異常信号を出力する。そして、制御部４の警報信号出力部４ｂは、異常判定部４ａより異常信号を入力した場合に、警報信号を生成して後述する警報部６に出力する。
【００１５】
解錠表示部５は、玄関ドアが夜間に解錠されていることを示す表示を行うものであり、制御部４から解錠表示信号を入力した場合に、解錠表示（解錠を示す発光ダイオードを点灯させるなど）を行う。
【００１６】
警報部６は、図示しない放音部などにより居住者が施錠を忘れていることを促す警報を鳴らす。ここで、警報部６が管理人室などに設置されている場合には、居住者が施錠を忘れていることを促す警報は、図示しない表示部などによる警告表示であっても良い。
【００１７】
次に、本実施形態による集合住宅監視システムの動作及び集合住宅監視方法を説明する。図２は、本実施形態による集合住宅監視システムの動作及び施錠監視方法を示すフローチャートである。まず、制御部４は、時計部２から入力した現在時刻情報により現在が夜間であるか否かを調べる（ステップＳ１）。現在が夜間ではないと制御部４にて判断した場合には（ステップＳ１にてＮＯ）、ステップＳ１の処理に戻る。
【００１８】
一方、現在が夜間であると制御部４にて判断した場合には（ステップＳ１にてＹＥＳ）、制御部４は、施錠検出部１から入力する施錠信号により玄関ドアが施錠されているか否かを調べる（ステップＳ２）。制御部４が施錠検出部１から施錠信号を入力している場合には、制御部４は、玄関ドアが施錠されていると判断して（ステップＳ２にてＹＥＳ）、ステップＳ１の処理に戻る。
【００１９】
一方、制御部４が施錠検出部１から施錠信号を入力していない場合には、制御部４は、玄関ドアが施錠されていないと判断する（ステップＳ２にてＮＯ）。そして、制御部４は、玄関ドアが解錠されていることを示す解錠表示信号を解錠表示部５に出力する。解錠表示部５は、玄関ドアが解錠されていることを示す表示を行う（ステップＳ３）。また、制御部４は、計測開始信号をタイマ３に出力する。
【００２０】
制御部４は、タイマ３により計測された時間情報を入力し、タイマ３により計測された時間情報が所定時間（例えば、３０分など）以上であるか否かを調べる（ステップＳ４）。タイマ３により計測された時間情報が所定時間未満であると制御部４にて判断した場合には（ステップＳ４にてＮＯ）、ステップＳ２の処理に戻る。
【００２１】
一方、タイマ３により計測された時間情報が所定時間以上であると制御部４にて判断した場合には（ステップＳ４にてＹＥＳ）、制御部４の異常判定部４ａは、居住者が玄関ドアの施錠を忘れていると判断して異常信号を出力する。そして、制御部４の警報信号出力部４ｂは、異常判定部４ａより異常信号を入力した場合に、警報信号を生成して警報部６に出力する。警報部６は、居住者が施錠を忘れていることを促す警報を出力する（ステップＳ５）。
【００２２】
以上詳しく説明したように、本実施形態によれば、夜間に施錠されているか否かが制御部４により判断され、解錠されている場合には、解錠の表示が行われるので、解錠の有無を容易に確認することができる。また、夜間に解錠されている時間が所定時間以上となった場合に、警報部６から警報が出力されるので、意図的に施錠されていないときと施錠を忘れているときとを明確に区別することができると共に、施錠を忘れているときには、居住者や管理人に施錠を促すことができる。
【００２３】
なお、前述した実施形態では、居住者が施錠を忘れているか否かを、解錠されている時間により判断したが、これに限定されない。例えば、解錠されている状態で、部屋内の全ての照明が消灯している場合に居住者が施錠を忘れていると判断しても良い。
【００２４】
具体的には、図３に示すように、部屋１０内の全ての照明１１が消灯されていることを検出する消灯検出部７を設ける。玄関ドアが解錠されている状態で、部屋１０内の全ての照明１１が消灯していることを消灯検出部７が検出した場合に、制御部４は、警報部６から警報を出力させる。ここで、照明１１が消灯していることは、照明１１の近傍に設けた図示しない照度センサにより計測される照度が所定値以下である場合や、照明１１の電源がオフ状態であることを検知した場合などにより判断することができる。このように、部屋１０内の全ての照明１１が消灯されていることを検出するような居住者が施錠を忘れた状態で就寝するような場合でも、施錠を忘れていることを促す警報を出力することができる。
【００２５】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００２６】
本発明は、多くの高齢者などが居住する集合住宅における集合住宅監視システムに有用であり、特に、施錠の有無を警告する施錠監視システムに有用である。
【図面の簡単な説明】
【００２７】
【図１】本実施形態による集合住宅監視システムの構成例を示すブロック図である。
【図２】本実施形態による集合住宅監視システム及び施錠監視方法を示すフローチャートである。
【図３】本実施形態による集合住宅監視システムの変形例を示すブロック図である。
【符号の説明】
【００２８】
１    施錠検出部
２    時計部
３    タイマ
４    制御部
４ａ    異常判定部
４ｂ    警報信号出力部
５    解錠表示部
６    警報部
７    消灯検出部
【図１】
2008009886.tif 000003
【図２】
2008009886.tif 000004
【図３】
2008009886.tif 000005